(57)【特許請求の範囲】
【請求項１】
釦を有するタグから識別情報を受信する受信器と、
複数のカメラと、
複数の表示器と、
前記複数のカメラのうちのどのカメラによって撮影された映像を前記複数の表示器のうちのどの表示器に表示させるのかを特定するための第１表示情報が識別情報に紐付けて記憶された第１記憶手段と、
前記受信器が識別情報とともに第１表示指令を受信すると、当該識別情報に紐付けて前記第１記憶手段に記憶された第１表示情報に基づいて、前記複数の表示器に映像を表示させる表示制御手段と、
を備え、
前記釦を用いた第１操作が行われることにより、前記タグから識別情報とともに第１表示指令が送信される監視システム。
【請求項２】
前記第１記憶手段に、前記複数のカメラのうちのどのカメラによって撮影された映像を前記複数の表示器のうちのどの表示器に表示させるのかを特定するための第２表示情報が識別情報に紐付けて記憶され、
前記表示制御手段は、前記受信器が識別情報とともに第２表示指令を受信すると、当該識別情報に紐付けて前記第１記憶手段に記憶された第２表示情報に基づいて、前記複数の表示器に映像を表示させ、
前記釦を用いた第２操作が行われることにより、前記タグから識別情報とともに第２表示指令が送信される請求項１に記載の監視システム。
【請求項３】
前記複数のカメラのうちの少なくとも１台のカメラによって撮影された映像を記憶する第２記憶手段を更に備え、
前記受信器が第１表示指令を受信することによって前記複数の表示器に表示される映像には、前記第２記憶手段に記憶された過去の映像が含まれる請求項１又は請求項２に記載の監視システム。
【請求項４】
カメラ制御手段を更に備え、
前記タグは加速度計を更に有し、
前記カメラ制御手段は、前記受信器が前記タグから識別情報とともに第１表示指令を受信すると、前記複数のカメラのうち前記表示器に映像が表示されているカメラの１台を、前記加速度計によって検出された加速度に応じて制御する請求項１から請求項３の何れか一項に記載の監視システム。
【請求項５】
カメラ制御手段を更に備え、
前記タグは加速度計を更に有し、
前記カメラ制御手段は、前記受信器が前記タグから識別情報とともに第１表示指令を受信した後に前記タグから第３表示指令を受信すると、前記複数のカメラのうち前記表示器に映像が表示されているカメラの１台を、前記加速度計によって検出された加速度に応じて制御し、
前記釦を用いた第３操作が行われることにより、前記タグから識別情報とともに第３表示指令が送信される請求項１から請求項３の何れか一項に記載の監視システム。
【請求項６】
前記表示制御手段は、前記受信器が識別情報とともに第１表示指令を受信することによって第１表示情報に基づく映像を前記複数の表示器に表示させている時に前記受信器が当該識別情報を受信しなくなると、当該第１表示情報に基づく映像の表示を停止させる請求項１から請求項５の何れか一項に記載の監視システム。
【発明の詳細な説明】
【技術分野】
【０００１】
この発明は、監視システムに関する。
【背景技術】
【０００２】
例えば、ビルの管理室に、複数の表示器が設置される。表示器には、カメラによって撮影された映像が表示される。ビルには複数のカメラが設置されており、どのカメラによって撮影された映像をどの表示器に表示させるのかは予め定められている。【０００３】
監視カメラシステムの一例が特許文献１に記載されている。
【先行技術文献】
【特許文献】
【０００４】
【特許文献１】日本特開２００７−３１８３３３号公報
【発明の概要】
【発明が解決しようとする課題】
【０００５】
従来の監視システムでは、表示器に表示させる映像と映像の表示位置とを任意に設定できないといった問題があった。なお、監視システムには、表示器が接続された専用の端末から操作を行うことによって、表示器に表示させる映像を切り替えることができるものがある。しかし、このような端末は他の機能を備えていることが多く、多くの人によって使用される。映像を切り替えたい人が自分の好きな時に端末を使用することができず、利便性が悪いといった問題があった。【０００６】
特許文献１に記載されたシステムでは、このような問題を解決することはできなかった。【０００７】
この発明は、上述のような課題を解決するためになされた。この発明の目的は、表示器に表示させる映像とその映像の表示位置とを簡単に切り替えることができる監視システムを提供することである。
【課題を解決するための手段】
【０００８】
この発明に係る監視システムは、釦を有するタグから識別情報を受信する受信器と、複数のカメラと、複数の表示器と、複数のカメラのうちのどのカメラによって撮影された映像を複数の表示器のうちのどの表示器に表示させるのかを特定するための第１表示情報が識別情報に紐付けて記憶された第１記憶手段と、受信器が識別情報とともに第１表示指令を受信すると、当該識別情報に紐付けて第１記憶手段に記憶された第１表示情報に基づいて、複数の表示器に映像を表示させる表示制御手段と、を備える。釦を用いた第１操作が行われることにより、タグから識別情報とともに第１表示指令が送信される。
【発明の効果】
【０００９】
この発明に係る監視システムでは、受信器が識別情報とともに第１表示指令を受信すると、当該識別情報に紐付けて第１記憶手段に記憶された第１表示情報に基づいて、複数の表示器に映像が表示される。第１表示指令は、釦を用いた第１操作が行われることにより、タグから識別情報とともに送信される。この発明に係る監視システムであれば、表示器に表示させる映像とその映像の表示位置とを簡単に切り替えることができる。
【図面の簡単な説明】
【００１０】
【図１】この発明の実施の形態１における監視システムの例を示す図である。
【図２】監視システムが適用されたビルの監視室の例を示す図である。
【図３】この発明の実施の形態１における監視システムの動作例を示すフローチャートである。
【図４】この発明の実施の形態１における監視システムの他の例を示す図である。
【図５】この発明の実施の形態１における監視システムの他の動作例を示すフローチャートである。
【図６】図４に示す監視システムが適用されたビルの管理室の例を示す図である。
【図７】この発明の実施の形態１における監視システムの他の動作例を示すフローチャートである。
【図８】監視装置のハードウェア構成の例を示す図である。
【発明を実施するための形態】
【００１１】
添付の図面を参照し、本発明を説明する。重複する説明は、適宜簡略化或いは省略する。各図において、同一の符号は同一の部分又は相当する部分を示す。
【００１２】
実施の形態１．
図１は、この発明の実施の形態１における監視システム１の例を示す図である。図２は、監視システム１が適用されたビルの管理室の例を示す図である。監視システム１は、例えば複数の表示器２、複数のカメラ３、受信器４、タグ５、及び監視装置６を備える。
【００１３】
表示器２は、例えばビルの管理室に設けられる。監視システム１に備えられた複数の表示器２は、例えば天井から吊り下げられた支持装置に取り付けられる。図２は、管理室に４台の表示器２が並べられた例を示す。以下の説明では、監視システム１が４台の表示器２を備える例について詳しく説明する。表示器２を個別に特定する必要がある場合、図２に示すように表示器に符号２ａ〜２ｄを付す。即ち、本実施の形態に示す例では、監視システム１は、表示器２ａ、表示器２ｂ、表示器２ｃ、及び表示器２ｄを備える。監視システム１が備える表示器２は４台でなくても良い。表示器２は、例えば通信線によって監視装置６に接続される。
【００１４】
カメラ３は、例えばビルの内部及び外部において監視が必要な場所に設けられる。監視システム１に備えられるカメラ３の台数は、表示器２の台数より多いことが好ましい。一例として、１台のカメラ３は、ビルのロビーを撮影する。他の１台のカメラ３は、エレベーターの乗場を撮影する。他の１台のカメラ３は、ビルに出入りするための非常口を撮影する。カメラ３が設けられる場所は上記例に限定されない。カメラ３は、例えば通信線によって監視装置６に接続される。カメラ３によって撮影された映像の情報は、監視装置６に入力される。
【００１５】
受信器４は、タグ５から電波を受信する。受信器４がタグ５から電波を受信する範囲は予め設定される。例えば、受信器４は、ある範囲に対して定期的に電波を送信する。タグ５は、受信器４から電波を受信すると、その応答として受信器４に電波を送信する。以下においては、受信器４がタグ５から電波を受信することが可能な範囲のことを受信範囲ともいう。図２に示す例では、表示器２が設置された管理室に受信器４が設けられる。受信器４は、管理室に存在するタグ５から電波を受信する。受信器４は、例えば通信線によって監視装置６に接続される。
【００１６】
タグ５は、特定の人に所持される。タグ５に、識別情報が記憶される。識別情報は、タグ５を特定するための情報である。即ち、各タグ５には固有の識別情報が割り当てられる。受信器４は、受信範囲に存在するタグ５から、識別情報を含む電波を受信する。
【００１７】
タグ５は釦７を備える。釦７は、タグ５を所持する人が表示の切り替え等を行うために操作する釦である。受信器４の受信範囲にタグ５が存在する場合に釦７を用いた第１操作が行われると、識別情報と第１表示指令とを含む電波がそのタグ５から送信され、受信器４によって受信される。第１表示指令を送信するための第１操作は予め設定される。例えば、釦７が１秒以上押されると、識別情報と第１表示指令とを含む電波がタグ５から送信される。第１操作は、この例に限定されない。
【００１８】
監視装置６は、例えば設定記憶部８、判定部１０、特定部１１及び表示制御部１２を備える。
【００１９】
設定記憶部８に、表示器２の表示を切り替えることを許可された人の情報が記憶される。例えば、設定記憶部８に、タグ５に割り当てられた識別情報が記憶される。また、設定記憶部８に、各識別情報に紐付けて第１表示情報が記憶される。第１表示情報は、どのカメラ３によって撮影された映像をどの表示器２に表示させるのかを特定するための情報である。表１は、設定記憶部８に記憶された情報の例を示す。
【００２０】
【表１】
0006699801.tif 000002
【００２１】
表１に示す例では、識別情報１００１が記憶されたタグ５を所持する人について、表示器２の表示を切り替えることが許可されている。また、表１は、第１表示情報として、表示カメラの情報と表示レイアウトの情報とが記憶される例を示す。表示カメラは、表示器２に映像を表示させるカメラのことである。表１は、監視システム１が１０台のカメラ３を備える例を示す。例えば、監視システム１は、カメラ３ａ〜３ｊを備える。１つの識別情報に対して、１台或いは複数台のカメラ３が表示カメラとして設定される。表１は、識別情報１００１に対して、カメラ３ａ〜３ｄが表示カメラとして設定された例を示す。また、表１は、識別情報１００３に対してカメラ３ｉが表示カメラとして設定された例を示す。以下の説明では、監視システム１が１０台のカメラ３を備える例について詳しい説明を行う。
【００２２】
表示レイアウトは、映像を表示する位置のことである。各表示カメラに対して、映像を表示する表示器２が設定される。表１は、識別情報１００１に関して、カメラ３ａによって撮影された映像を表示する表示器として表示器２ａが設定された例を示す。同様に、表１に示す例では、カメラ３ｂによって撮影された映像を表示する表示器として表示器２ｂが設定されている。カメラ３ｃによって撮影された映像を表示する表示器として表示器２ｃが設定されている。カメラ３ｄによって撮影された映像を表示する表示器として表示器２ｄが設定されている。識別情報１００３に関しては、カメラ３ｉによって撮影された映像を表示する表示器として表示器２ａ〜２ｄが設定されている。表１に示す例では、カメラ３ｉによって撮影された映像は、表示器２ａ〜２ｄに拡大表示される。
【００２３】
表示制御部１２は、表示器２を制御する。例えば、表示制御部１２は、設定記憶部８に記憶された第１表示情報に基づいて、表示器２ａ〜２ｄを制御する。判定部１０は、表示制御部１２が表示器２を制御する上で必要な判定を行う。
【００２４】
次に、図３も参照し、監視システム１の動作について詳しく説明する。図３は、この発明の実施の形態１における監視システム１の動作例を示すフローチャートである。
【００２５】
監視装置６では、表示制御部１２が、例えば初期設定に基づいて表示器２を制御する。初期設定は、設定記憶部８に予め記憶される。表示制御部１２は、例えば特定の４台のカメラ３によって撮影された映像を表示器２ａ〜２ｄに表示させる。表示制御部１２は、カメラ３ａ〜３ｊによって撮影された映像を表示器２ａ〜２ｄに順番に表示させても良い。初期設定では、表示制御部１２は、表示器２に映像を表示させなくても良い。
【００２６】
判定部１０は、受信器４が識別情報及び第１表示指令をタグ５から受信したか否かを判定する（Ｓ１０１）。受信器４の受信範囲にタグ５が入ると、受信器４は、識別情報を含む電波をそのタグ５から受信する。また、受信器４の受信範囲に存在するタグ５において釦７を用いた第１操作が行われると、受信器４は、識別情報及び第１表示指令を含む電波をそのタグ５から受信する。
【００２７】
受信器４が識別情報及び第１表示指令をタグ５から受信すると、判定部１０は、受信器４が受信した識別情報が設定記憶部８に記憶されている識別情報の何れかと一致するか否かを判定する（Ｓ１０２）。受信器４が受信した識別情報が設定記憶部８に記憶されている何れの識別情報とも一致しなければ、Ｓ１０１の処理に戻る。受信器４が受信した識別情報が設定記憶部８に記憶されている識別情報の何れかと一致すると判定部１０によって判定されると、特定部１１は、その識別情報に紐付けて設定記憶部８に記憶されている第１表示情報を特定する（Ｓ１０３）。表示制御部１２は、特定部１１によって特定された第１表示情報に基づいて、表示器２に映像を表示させる（Ｓ１０４）。表示制御部１２は、当該第１表示情報によって特定される内容の通りに映像の表示を行う。
【００２８】
例えば、受信器４が識別情報１００１とともに第１表示指令を受信すると、表示制御部１２は、Ｓ１０４において、カメラ３ａによって撮影された映像を表示器２ａに表示させる。同様に、表示制御部１２は、Ｓ１０４において、カメラ３ｂによって撮影された映像を表示器２ｂに表示させる。表示制御部１２は、Ｓ１０４において、カメラ３ｃによって撮影された映像を表示器２ｃに表示させる。表示制御部１２は、Ｓ１０４において、カメラ３ｄによって撮影された映像を表示器２ｄに表示させる。
【００２９】
他の例として、受信器４が識別情報１００３とともに第１表示指令を受信すると、表示制御部１２は、Ｓ１０４において、カメラ３ｉによって撮影された映像を表示器２ａ〜２ｄに表示させる。例えば、表示制御部１２は、カメラ３ｉによって撮影された映像の１／４を表示器２ａに表示させる。表示制御部１２は、カメラ３ｉによって撮影された映像の他の１／４を表示器２ｂに表示させる。表示制御部１２は、カメラ３ｉによって撮影された映像の他の１／４を表示器２ｃに表示させる。表示制御部１２は、カメラ３ｉによって撮影された映像の残りの１／４を表示器２ｄに表示させる。
【００３０】
設定記憶部８に識別情報が記憶されたタグ５を所持する人は、自分が監視したい場所に設けられたカメラ３を予め表示カメラとして設定しておけば良い。また、この人は、表示カメラで撮影された映像を自分が見易い位置で見ることができるように表示レイアウトを設定しておけば良い。これらの設定は、図示しない入力装置を用いて行われる。本実施の形態に示す例であれば、表示器２に表示させる映像とその映像の表示位置とを、予め設定しておいた通りに簡単に切り替えることができる。また、システムのセキュリティ性の向上及びネットワーク帯域の削減も期待できる。セキュリティ性を高めるため、判定部１０が判定した結果を監視装置６に記録しても良い。
【００３１】
システムのセキュリティ性を更に向上させるため、指紋情報を利用しても良い。例えば、タグ５は、指紋を読み取るための機能を更に備える。釦７を用いた第１操作が行われる際に、指紋情報が読み取られる。タグ５によって読み取られた指紋情報は、識別情報及び第１表示指令とともにタグ５から受信器４に送信される。かかる場合、設定記憶部８に、各識別情報に紐付けて指紋情報と第１表示情報とが記憶される。判定部１０は、Ｓ１０２で識別情報が一致すると判定すると、その識別情報に紐付けて記憶されている指紋情報が受信器４が受信した指紋情報と一致するか否かを判定する。特定部１１は、指紋情報が一致すると判定部１０によって判定されると、Ｓ１０３において第１表示情報を特定する。この例であれば、予め登録された人以外の人が釦７を操作しても、第１表示情報に基づく表示は行われない。
【００３２】
以下に、監視システム１が採用可能な他の機能について説明する。監視システム１は、以下に示す複数の機能を組み合わせて採用しても良い。
【００３３】
図４は、この発明の実施の形態１における監視システム１の他の例を示す図である。タグ５は、複数の釦７を備えても良い。タグ５に複数の釦７が備えられていれば、釦７を用いた複数の操作を簡単に行うことができる。例えば、釦７を用いた第２操作が行われると、識別情報と第２表示指令とを含む電波がそのタグ５から送信される。第２操作は、第１操作とは異なる操作である。図４は、タグ５が釦７ａと釦７ｂとを備える例を示す。釦７ａは釦７ｂより大きな釦である。例えば、釦７ａが押されると、識別情報と第１表示指令とを含む電波がタグ５から送信される。釦７ｂが押されると、識別情報と第２表示指令とを含む電波がタグ５から送信される。第２操作は、この例に限定されない。例えば、１つの釦７を用いて第１操作と第２操作の双方が行われても良い。
【００３４】
設定記憶部８には、各識別情報に紐付けて第１表示情報と第２表示情報とが記憶される。第２表示情報は、どのカメラ３によって撮影された映像をどの表示器２に表示させるのかを特定するための情報である。第２表示情報は、第１表示情報とは異なる情報である。表２は、設定記憶部８に記憶された情報の例を示す。
【００３５】
【表２】
0006699801.tif 000003
【００３６】
表２は、設定記憶部８に各識別情報に紐付けて２つの表示情報、即ち第１表示情報と第２表示情報とが記憶される例を示す。設定記憶部８には、各識別情報に紐付けて３つ以上の表示情報が記憶されても良い。
【００３７】
図５は、この発明の実施の形態１における監視システム１の他の動作例を示すフローチャートである。図５に基づく説明では、設定記憶部８に表２に示す情報が記憶されているものとする。
【００３８】
判定部１０は、受信器４が識別情報及び表示指令をタグ５から受信したか否かを判定する（Ｓ２０１）。例えば、判定部１０は、受信器４が識別情報と第１表示指令或いは第２表示指令とをタグ５から受信したか否かを判定する。受信器４の受信範囲に存在するタグ５において釦７を用いた第１操作が行われると、受信器４は、識別情報及び第１表示指令を含む電波をそのタグ５から受信する。受信器４の受信範囲に存在するタグ５において釦７を用いた第２操作が行われると、受信器４は、識別情報及び第２表示指令を含む電波をそのタグ５から受信する。
【００３９】
受信器４が識別情報と表示指令とをタグ５から受信すると、判定部１０は、受信器４が受信した識別情報が設定記憶部８に記憶されている識別情報の何れかと一致するか否かを判定する（Ｓ２０２）。受信器４が受信した識別情報が設定記憶部８に記憶されている何れの識別情報とも一致しなければ、Ｓ２０１の処理に戻る。受信器４が受信した識別情報が設定記憶部８に記憶されている識別情報の何れかと一致すると判定部１０によって判定されると、特定部１１は、その識別情報に紐付けて設定記憶部８に記憶されている対応の表示情報を特定する（Ｓ２０３）。例えば、受信器４がその識別情報とともに第１表示指令を受信していれば、特定部１１は、その識別情報に紐付けて設定記憶部８に記憶されている第１表示情報を特定する。特定部１１は、受信器４がその識別情報とともに第２表示指令を受信していれば、その識別情報に紐付けて設定記憶部８に記憶されている第２表示情報を特定する。表示制御部１２は、特定部１１によって特定された表示情報に基づいて、表示器２に映像を表示させる（Ｓ２０４）。表示制御部１２は、対応の表示情報によって特定される内容の通りに映像の表示を行う。
【００４０】
図５に示す例であれば、タグ５を所持する人は、表示器２に表示させる映像とその映像の表示位置との組み合わせを、釦７を用いた操作によって簡単に選択することができる。表示制御部１２は、ある表示情報に基づく表示を行っている時に受信器４が当該タグ５から更なる特定の指令を受信すると、表示器２の表示を他の表示情報に基づく表示に切り替えても良い。例えば、釦７ｂが押された状態で釦７ａが押されると、第１表示情報に基づく表示と第２表示情報に基づく表示との切り替えが行われる。
【００４１】
図４に示すように、監視装置６は、映像記憶部９を更に備えても良い。映像記憶部９に、カメラ３によって撮影された映像が記憶される。映像記憶部９に映像が記憶されるカメラ３は、１台でも良いし複数台でも良い。表３は、設定記憶部８に記憶された情報の例を示す。
【００４２】
【表３】
0006699801.tif 000004
【００４３】
表３は、図３のＳ１０４で表示器２に表示される映像に、映像記憶部９に記憶された過去の映像が含まれる例を示す。例えば、受信器４が識別情報１００１とともに第１表示指令を受信すると、表示制御部１２は、Ｓ１０４において、カメラ３ａによって撮影されたリアルタイムの映像を表示器２ａに表示させる。また、表示制御部１２は、Ｓ１０４において、カメラ３ａによって撮影された過去の映像を表示器２ｂに表示させる。表示制御部１２は、Ｓ１０４において、カメラ３ｂによって撮影されたリアルタイムの映像を表示器２ｃに表示させる。表示制御部１２は、Ｓ１０４において、カメラ３ｃによって撮影された過去の映像を表示器２ｄに表示させる。
【００４４】
表示制御部１２は、タグ５からの更なる指令に基づいて、映像記憶部９に記憶された過去の映像を表示器２に表示させても良い。例えば、受信器４が識別情報１００２とともに第１表示指令を受信すると、表示制御部１２は、Ｓ１０４において、カメラ３ｅによって撮影されたリアルタイムの映像を表示器２ａに表示させる。また、表示制御部１２は、Ｓ１０４において、カメラ３ｆによって撮影されたリアルタイムの映像を表示器２ｂに表示させる。表示制御部１２は、Ｓ１０４において、カメラ３ｇによって撮影されたリアルタイムの映像を表示器２ｃに表示させる。表示制御部１２は、Ｓ１０４において、カメラ３ｈによって撮影されたリアルタイムの映像を表示器２ｄに表示させる。
【００４５】
表示制御部１２は、その後に受信器４が識別情報１００２とともに特定の指令を受信すると、例えば表示器２ａに表示させる映像を、カメラ３ｅによって撮影されたリアルタイムの映像から過去の映像に切り替える。表４は、録画映像を表示器２に表示させる機能の例を示す。
【００４６】
【表４】
0006699801.tif 000005
【００４７】
図４に示すように、監視装置６は、カメラ制御部１３を更に備えても良い。タグ５は、加速度計１４を更に備えても良い。例えば、監視装置６に接続された一部のカメラ３或いは全部のカメラ３がＰＴＺ（Ｐａｎ−Ｔｉｌｔ−Ｚｏｏｍ）カメラである場合を考える。
【００４８】
例えば、図３のＳ１０１で受信器４がある識別情報とともに第１表示指令を受信すると、表示制御部１２は、対応の第１表示情報に基づいて表示器２の表示を制御する。カメラ制御部１３は、Ｓ１０４で表示器２に映像が表示されている間、表示器２に映像が表示されているカメラ３の１台を、加速度計１４によって検出された加速度に応じて制御する。例えば、カメラ制御部１３は、カメラ３ａによって撮影された映像がＳ１０４で表示器２ａに表示されると、加速度計１４によって検出された加速度に応じてカメラ３ａを制御する。カメラ制御部１３が制御するカメラ３を、釦７を用いた操作によって選択及び変更できるようにしても良い。
【００４９】
図６は、図４に示す監視システム１が適用されたビルの管理室の例を示す図である。加速度計１４は、図６に示すように、例えば互いに直交するｘ軸、ｙ軸及びｚ軸の加速度を検出する。加速度計１４によって検出された加速度の情報は、識別情報とともに受信器４によって受信される。カメラ制御部１３は、受信器４が受信した加速度の情報に基づいて、カメラ３のレンズの向き及びズームを制御する。表５は、カメラ３の制御機能の例を示す。
【００５０】
【表５】
0006699801.tif 000006
【００５１】
カメラ制御部１３は、受信器４が第１表示指令を受信した後に当該タグ５から第３表示指令を受信した場合に、表示器２に映像が表示されているカメラ３の１台を、加速度計１４によって検出された加速度に応じて制御しても良い。釦７を用いた第３操作が行われると、識別情報と第３表示指令とを含む電波がそのタグ５から送信される。第３操作は、第１操作とは異なる操作である。例えば、釦７ｂが押された状態でタグ５が＋ｘ方向に一定値以上の加速度で移動されると、タグ５から、識別情報とともに第３表示指令と加速度情報とが送信される。かかる場合、カメラ制御部１３は、例えば、表示器２ａに映像が表示されているカメラ３ａのレンズを右に向ける。なお、第３操作は、この例に限定されない。
【００５２】
図７は、この発明の実施の形態１における監視システム１の他の動作例を示すフローチャートである。図７のＳ３０１からＳ３０４に示す処理は、図３のＳ１０１からＳ１０４に示す処理と同じである。
【００５３】
判定部１０は、Ｓ３０４で第１表示情報に基づく表示が開始されると、受信器４が当該タグ５から識別情報を受信しているか否かを判定する（Ｓ３０５）。表示制御部１２は、Ｓ３０４で第１表示情報に基づく表示を開始した後も受信器４が当該タグ５から識別情報を受信していれば、第１表示情報に基づく表示を継続する。一方、表示制御部１２は、Ｓ３０４で第１表示情報に基づく表示を開始した後に受信器４が当該タグ５から識別情報を受信しなくなると、その第１表示情報に基づく映像の表示を停止させる（Ｓ３０６）。図７に示す例であれば、例えば、タグ５を所持する人が管理室から出た際に、その人が設定した表示を終了させることができる。このため、システムのセキュリティ性を更に高めることができる。
【００５４】
判定部１０は、受信器４が識別情報を一定時間続けて受信しなかった場合に、Ｓ３０５においてＮｏと判定しても良い。例えば、表示制御部１２は、受信器４が識別情報を３秒間受信しないと、Ｓ３０６において表示の停止を行う。
【００５５】
符号８〜１３に示す各部は、監視装置６が有する機能を示す。図８は、監視装置６のハードウェア構成の例を示す図である。監視装置６は、ハードウェア資源として、例えばプロセッサ１５とメモリ１６とを含む処理回路を備える。監視装置６は、例えばプロセッサ１５及びメモリ１６を備えたＰＣで実現できる。設定記憶部８及び映像記憶部９が有する機能はメモリ１６によって実現される。監視装置６は、メモリ１６に記憶されたプログラムをプロセッサ１５によって実行することにより、符号１０〜１３に示す各部の機能を実現する。
【００５６】
プロセッサ１５は、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータ或いはＤＳＰともいわれる。メモリ１６として、半導体メモリ、磁気ディスク、フレキシブルディスク、光ディスク、コンパクトディスク、ミニディスク或いはＤＶＤを採用しても良い。採用可能な半導体メモリには、ＲＡＭ、ＲＯＭ、フラッシュメモリ、ＥＰＲＯＭ及びＥＥＰＲＯＭ等が含まれる。
【００５７】
監視装置６が有する各機能の一部又は全部をハードウェアによって実現しても良い。監視装置６が有する機能を実現するハードウェアとして、単一回路、複合回路、プログラム化したプロセッサ、並列プログラム化したプロセッサ、ＡＳＩＣ、ＦＰＧＡ、又はこれらの組み合わせを採用しても良い。
【産業上の利用可能性】
【００５８】
この発明は、タグを用いる監視システムに適用できる。
【符号の説明】
【００５９】
１  監視システム
２  表示器
３  カメラ
４  受信器
５  タグ
６  監視装置
７  釦
８  設定記憶部
９  映像記憶部
１０  判定部
１１  特定部
１２  表示制御部
１３  カメラ制御部
１４  加速度計
１５  プロセッサ
１６  メモリ
【図１】
0006699801.tif 000007
【図２】
0006699801.tif 000008
【図３】
0006699801.tif 000009
【図４】
0006699801.tif 000010
【図５】
0006699801.tif 000011
【図６】
0006699801.tif 000012
【図７】
0006699801.tif 000013
【図８】
0006699801.tif 000014